(57)【要約】【目的】  自らが全くチャンネルサーチを行わなくてもサーチ結果を取得して放送受信に利用することができをるテレビ視聴機能付き通信機器及びサーチ結果通信システムを提供する。【構成】  携帯電話基地局６０に対して地上ディジタル放送のチャンネルサーチ結果を求める場合の電話番号を、「０１２３４５♯」のごとく定めておく。当該番号を受け取った携帯電話基地局６０は、当該番号を送信してきた携帯電話１０に対して、サーチ結果をデータ送信することになる。そして、サーチ結果を受信した携帯電話１０の電話機能部は、外部入出力インターフェイスを介してディジタル放送受信部のＣＰＵにサーチ結果を渡す。ＣＰＵは自身が取得した場合のサーチ結果の格納と同様の処理により、メモリに前記サーチ結果（チャンネルテーブル）を格納する。【選択図】        図１
2006025277.tif 000002
【特許請求の範囲】
【請求項１】
テレビ放送を受信するテレビ放送受信手段及び情報を送受する通信手段を備えたテレビ視聴機能付き通信機器において、前記通信手段を用いて通信基地局に対してチャンネルサーチ結果の送信を要求する手段と、前記要求によって受信したチャンネルサーチ結果に基づいて前記テレビ放送受信手段におけるチャンネルテーブルを作成する手段と、を備えたことを特徴とするテレビ視聴機能付き通信機器。
【請求項２】
テレビ放送を受信するテレビ放送受信手段及び情報を送受する通信手段を備えたテレビ視聴機能付き通信機器において、前記通信手段を用いて通信基地局に対してチャンネルサーチ結果の送信を要求する手段と、前記要求によって受信したチャンネルサーチ結果で示される有局の物理チャンネルについてチャンネルサーチを実行し、このチャンネルサーチの結果に基づいて前記テレビ放送受信手段におけるチャンネルテーブルを作成する手段と、を備えたことを特徴とするテレビ視聴機能付き通信機器。
【請求項３】
請求項１又は請求項２に記載のテレビ視聴機能付き通信機器において、放送電波受信品質に基づいて放送受信が困難になるおそれがあると判定したとき、又は放送受信が困難になったときに、通信基地局に対してチャンネルサーチ結果の送信を自動要求するように構成されたことを特徴とするテレビ視聴機能付き通信機器。
【請求項４】
請求項１乃至請求項３のいずれかに記載のテレビ視聴機能付き通信機器と通信基地局とから成るサーチ結果通信システムであって、前記通信基地局は自前の放送受信アンテナ及びテレビ放送受信機器によってチャンネルサーチを行ってその結果を保持するか又は別施設に置かれたテレビ放送受信機器によって行われたチャンネルサーチの結果を通信により得て保持し、テレビ視聴機能付き通信機器から要求があったときに、前記サーチ結果を送信するように構成されたことを特徴とするサーチ結果通信システム。
【請求項５】
請求項４に記載のサーチ結果通信システムにおいて、前記通信基地局は一定間隔又は不定期にてサーチ結果を取得して更新することを特徴とするサーチ結果通信システム。
【請求項６】
請求項４又は請求項５に記載のサーチ結果通信システムにおいて、前記通信基地局は携帯電話基地局から成り、テレビ視聴機能付き通信機器から所定電話番号による発呼を検出したときに、前記サーチ結果を前記テレビ視聴機能付き通信機器に送信することを特徴とするサーチ結果通信システム。
【発明の詳細な説明】
【技術分野】
【０００１】
この発明は、テレビ放送を受信できる携帯電話やカーナビゲーションシステムなどに代表されるテレビ視聴機能付き通信機器に関する。
【背景技術】
【０００２】
テレビ放送は、受信可能なチャンネルが同一県域であっても地域により大きく異なっている（特許文献１参照）。また、地上ディジタル放送では、放送開始の時期が地域により異なっている。
【特許文献１】特開２００４−６４５９０号公報
【発明の開示】
【発明が解決しようとする課題】
【０００３】
このため、テレビ放送機能を有する携帯機器においては、テレビ放送を受信するために、移動したそれぞれの地域においてチャンネルのサーチ（スキャン）を行う必要があり、利用者にとって不便を与えるものであった。
【０００４】
この発明は、上記の事情に鑑み、サーチ対象とする物理チャンネル数を少なくしてサーチ効率を高めたり、或いは、自らが全くチャンネルサーチを行わなくてもサーチ結果を取得して放送受信に利用することができをるテレビ視聴機能付き通信機器及びサーチ結果通信システムを提供することを目的とする。
【課題を解決するための手段】
【０００５】
この発明のテレビ視聴機能付き通信機器は、上記課題を解決するために、テレビ放送を受信するテレビ放送受信手段及び情報を送受する通信手段を備えたテレビ視聴機能付き通信機器において、前記通信手段を用いて通信基地局に対してチャンネルサーチ結果の送信を要求する手段と、前記要求によって受信したチャンネルサーチ結果に基づいて前記テレビ放送受信手段におけるチャンネルテーブルを作成する手段と、を備えたことを特徴とする。
【０００６】
上記の構成であれば、自らが全くチャンネルサーチを行わなくてもサーチ結果を通信基地局から取得し、この取得したチャンネルサーチ結果に基づいてチャンネルテーブルを作成し、このチャンネルテーブルにてテレビ放送を受信することができる。
【０００７】
また、この発明のテレビ視聴機能付き通信機器は、テレビ放送を受信するテレビ放送受信手段及び情報を送受する通信手段を備えたテレビ視聴機能付き通信機器において、前記通信手段を用いて通信基地局に対してチャンネルサーチ結果の送信を要求する手段と、前記要求によって受信したチャンネルサーチ結果で示される有局の物理チャンネルについてチャンネルサーチを実行し、このチャンネルサーチの結果に基づいて前記テレビ放送受信手段におけるチャンネルテーブルを作成する手段と、を備えたことを特徴とする。
【０００８】
上記の構成であれば、通信基地局から受信したチャンネルサーチ結果に基づいて有局と判定された物理チャンネルについてチャンネルサーチを実行するので、サーチ対象とする物理チャンネル数は少なくなり、チャンネルサーチに要する時間を短縮することができる。
【０００９】
これら構成のテレビ視聴機能付き通信機器において、放送電波受信品質に基づいて放送受信が困難になるおそれがあると判定したとき、又は放送受信が困難になったときに、通信基地局に対してチャンネルサーチ結果の送信を自動要求するように構成されていてもよいものである。
【００１０】
また、この発明のサーチ結果通信システムは、上述したいずれかのテレビ視聴機能付き通信機器と通信基地局とから成るサーチ結果通信システムであって、前記通信基地局は自前の放送受信アンテナ及びテレビ放送受信機器によってチャンネルサーチを行ってその結果を保持するか又は別施設に置かれたテレビ放送受信機器によって行われたチャンネルサーチの結果を通信により得て保持し、テレビ視聴機能付き通信機器から要求があったときに、前記サーチ結果を送信するように構成されたことを特徴とする。かかるシステムにおいて、前記通信基地局は一定間隔又は不定期にてサーチ結果を取得して更新することとしてもよい。また、前記通信基地局は携帯電話基地局から成り、テレビ視聴機能付き通信機器から所定電話番号による発呼を検出したときに、前記サーチ結果を前記テレビ視聴機能付き通信機器に送信することとしてもよい。
【発明の効果】
【００１１】
以上説明したように、この発明によれば、サーチ対象とする物理チャンネル数を少なくしてサーチ効率を高めたり、或いは、自らが全くチャンネルサーチを行わなくてもサーチ結果を取得して放送受信に利用することができるという効果を奏する。
【発明を実施するための最良の形態】
【００１２】
以下、この発明の実施形態のテレビ視聴機能付き通信機器及びサーチ結果通信システムを図１乃至図４に基づいて説明する。
【００１３】
図１はテレビ視聴機能付き通信機器（以下、単に携帯電話という）１０を示したブロック図である。この携帯電話１０は、電話機能部３０とディジタル放送受信部２０とを備えて成る。電話機能部３０は、制御部３１と、無線通信部３２と、音声処理部３３と、メモリ部３４と、キー入力部（操作部）３５と、表示部（例えば、液晶パネル）３６と、データ処理部３７とを備えて成る。通常の電話処理において受信した音声信号は音声処理部３３を介してスピーカ３８に与えられる一方、ユーザの発した音声はマイク３９にて音声信号となり、音声処理部３３で増幅等の処理がなされた音声信号は無線通信部３２によって送出される。データ処理部３７は受信したパケットに対する処理を行う。無線通信部３２は、音声やデータの送受信処理、基地局６０との間での所定のプロトコル処理（送信時処理、受信時処理）を行う。制御部３１は電話機能部３０における全体制御を行うと共に、ディジタル放送受信部２０との間の連携のための処理を行う。。例えば、キー入力部３５においてテレビ視聴キーがＯＮ操作されたときには、ディジタル放送受信部２０にＯＮ指令を与え、ディジタル放送受信部２０から出力される映像を表示部３６に与える処理や、キー入力部３５のテンキーが操作されたときに、その番号をチャンネル番号とする選局指令をディジタル放送受信部２０に与える処理などを行う。更に、電話機能部３０がチャンネルサーチ結果を取得し、これをディジタル放送受信部２０に与える処理なども行う。この処理の詳細は後で説明する。
【００１４】
次に、ディジタル放送受信部２０を図２に基づいて説明していく。地上アンテナ１はは受信した信号を地上波ディジタルチューナ２に与える。
【００１５】
地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１６】
デマルチプレクサ（ＤＥＭＵＸ）３は、前記トランスポート・ストリームを、ＭＰＥＧ（Ｍｏｖｉｎｇ  Ｐｉｃｔｕｒｅ  Ｅｘｐｅｒｔｓ  Ｇｒｏｕｐ）などのビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号、リモートコントロールキーＩＤ）などに分離する。デマルチプレクサ３は、ビデオストリームとオーディオストリームをＡＶデコーダ４に供給し、ＰＳＩ／ＳＩや放送情報等をＣＰＵ１３に供給する。
【００１７】
ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１８】
映像処理回路５はＡＶデコーダ４から映像データを受け取り、例えば、ＲＧＢデータを生成する。ＲＧＢデータは前記表示部３６に与えられて映像表示がなされる。音声処理回路６はＡＶデコーダ４から出力された音声データを受け取ってＤ／Ａ変換を行い、例えば右（Ｒ）音のアナログ信号及び左（Ｌ）音のアナログ信号を生成する。これら音声信号はスピーカ３８又は通話用とは別に設けられた図示しないスピーカに供給される。
【００１９】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メニュー画面や各種設定画面などの表示が行えることになる。
【００２０】
メモリ（例えば、ＲＡＭ、ＥＥＰＲＯＭ、フラッシュメモリ等）１４には、チャンネルテーブル（周波数情報や放送局名等をリモートコントロールキーＩＤやチャンネル番号に対応させたチャンネルリスト）などが格納される。
【００２１】
ＣＰＵ１３は、外部入出力インターフェイス９を介して電話機能部３０と情報の遣り取りを行う。また、ＣＰＵ１３は、ディジタル放送受信部２０自身によるチャンネルサーチ処理及びそのサーチ結果（チャンネルテーブル）を利用した選局処理等を行う他、電話機能部３０が取得したサーチ結果（チャンネルテーブル）を利用した選局処理も行う。
【００２２】
図３は携帯電話基地局６０によるサーチ結果送信システムの概要を示した説明図である。携帯電話１０と回線接続関係を形成する携帯電話基地局６０は、複数存在する携帯電話基地局のなかで最も近くに存在する基地局となる。そして、この実施形態では、各携帯電話基地局６０は、図４に示すように、携帯電話用基地局設備６１の他に、地上ディジタル放送受信設備６２及び地上波アンテナ６３を備える。制御部６４は一定周期或いは不定期に前記地上ディジタル放送受信設備６２に対してチャンネルサーチを行わせ、サーチ結果を図示しないメモリに格納する。そして、携帯電話基地局６０は回線接続関係を形成している携帯電話１０からサーチ結果を求められたときに、前記メモリからサーチ結果を読み出して当該携帯電話１０にデータ送信する処理を行う。
【００２３】
例えば、携帯電話基地局６０に対して地上ディジタル放送のチャンネルサーチ結果を求める場合の電話番号を、「０１２３４５♯」のごとく定めておく。当該番号を受け取った携帯電話基地局６０は、当該番号を送信してきた携帯電話１０に対して、サーチ結果をデータ送信することになる。そして、サーチ結果を受信した携帯電話１０の電話機能部３０は、外部入出力インターフェイス９を介してディジタル放送受信部２０のＣＰＵ１３にサーチ結果を渡す。ＣＰＵ１３は自身が取得した場合のサーチ結果の格納と同様の処理により、メモリ１４に前記サーチ結果（チャンネルテーブル）を格納する。
【００２４】
このように、この実施形態の携帯電話１０であれば、例えば、移動によってこれまで受信できていた放送番組を受信できなくなったときに、自らがチャンネルサーチを行わなくても、或いは、地上ディジタル放送の電波状況の悪化でチャンネルサーチが良好に行えない場合でも、電話機能部３０を用いて基地局６０に電話をかけることでサーチ結果を取得し、このサーチ結果によって所望の放送番組を簡単に受信することができるようになる。
【００２５】
なお、上記の例では、基地局６０がサーチ結果であるチャンネルテーブル（周波数情報や放送局名等をリモートコントロールキーＩＤやチャンネル番号に対応させたチャンネルリスト）を携帯電話１０に送信することとしたが、これに限らず、基地局６０はチャンネルサーチとして各物理チャンネルの有局／無局の判定を行い（ディジタル放送の場合は何らかの情報の取得の成否、アナログ放送の場合は放送波（同期信号）の存否等）、この有局／無局情報（例えば、有局と判定された物理チャンネル番号など）をサーチ結果として携帯電話１０に送信してもよい。携帯電話１０にしてみれば、有局と判定された物理チャンネルについてのみチャンネルサーチを行えばよいことになるので、サーチ時間を格段に短くすることができる。
【００２６】
また、上記の例では、各基地局６０が自前の地上ディジタル放送受信設備６２にてチャンネルサーチを行うこととしたが、各基地局６０は、近くの施設に設置された地上ディジタル放送受信設備が行ったチャンネルサーチの結果を転送してもらうようにしてもよいものである。
【００２７】
また、ユーザが電話番号「０１２３４５♯」を手動で入力することに限るものではない。例えば、ディジタル放送受信部２０は電波受信状況（受信電界強度、Ｃ／Ｎ比等）に基づき、所定の閾値との比較で放送受信が困難となるおそれ有りと判定したときに、或いは放送受信が困難となったときに（誤り訂正不能等）、電話番号「０１２３４５♯」をオートダイヤルして自動的にサーチ結果を取得するように構成されていてもよいものである。勿論、手動とするか自動とするかを予めメニュー画面上で設定しておくようにしてもよいものである。
【００２８】
また、上記の例では、基地局は携帯電話基地局としたが、無線ＬＡＮ基地局としてもよいものである。また、テレビ視聴機能付き通信機器として携帯電話を例示したが、通信機能及び放送受信機能を有する車載型装置としても構成できるものである。また、かかる発明は、アナログ放送に対しても適用できる。
【図面の簡単な説明】
【００２９】
【図１】この発明の実施形態の携帯電話を示したブロック図である。
【図２】この発明の実施形態の携帯電話の放送受信部を示したブロック図である。
【図３】この発明の実施形態の携帯電話基地局によるサーチ結果送信システムの概要を示した説明図である。
【図４】基地局の概略構成を示した説明図である。
【符号の説明】
【００３０】
１０    携帯電話
２０    ディジタル放送受信部
３０    電話機能部
６０    携帯電話基地局
【図１】
2006025277.tif 000003
【図２】
2006025277.tif 000004
【図３】
2006025277.tif 000005
【図４】
2006025277.tif 000006